(57)【要約】      （修正有）【課題】ストロボの色温度を推測してホワイトバランスを決定するカメラシステムにおいて、色温度の推測を簡略化する。【解決手段】発光時の放電管９に流れる管電流を管電流検出回路４１で検出して、検出された電流値に従って、ストロボマイコン３５は、色温度格納用ＲＯＭ４２から色温度を読み出し、ホワイトバランス調整をおこなう。【選択図】図２
2006197087.tif 000002
【特許請求の範囲】
【請求項１】
放電管に電流を流して発光させる発光手段と、
放電管に流れる電流を検出する電流検出手段と、
該電流検出手段の検出結果に関連付けて、該発光手段の色温度を決定する色温度決定手段と、を有し、
上記色温度決定手段に基づいて、撮像素子を用いて撮影される画像のホワイトバランス調整することを特徴とするカメラシステム。
【請求項２】
放電管に電流を流して発光させる発光手段と、
放電管に流れる電流を検出する電流検出手段と、
該電流検出手段の検出結果に関連付けて、該発光手段の色温度を決定する色温度決定手段と、を有し
上記色温度決定手段に基づいて、得られた情報をカメラに伝達することを特徴とするストロボ。
【請求項３】
請求項１記載のカメラシステムにおいて、検出する電流値は、最大値であることを特徴とするカメラシステム。
【請求項４】
請求項１記載のカメラシステムにおいて、検出する電流値は、平均値であることを特徴とするカメラシステム。
【請求項５】
請求項２記載のストロボにおいて、検出する電流値は、最大値であることを特徴とするストロボ。
【請求項６】
請求項２記載のストロボにおいて、検出する電流値は、平均値であることを特徴とするストロボ。
【発明の詳細な説明】
【技術分野】
【０００１】
本発明は、ストロボ撮影時のホワイトバランス調整をおこなうカメラに係るカメラシステムおよびストロボに関する。
【背景技術】
【０００２】
従来、ストロボの充電電圧や、発光量に応じて色温度を推測し、ホワイトバランスを決定する手段が提案されている（例えば、特許文献１参照）。
【特許文献１】特開平２−２９１７８９号公報
【発明の開示】
【発明が解決しようとする課題】
【０００３】
しかし、上記従来例では、充電電圧のみで色温度を推測した場合、発光量制御手段により、制御される発光量によって、色温度が変化してしまうことから、充電電圧と共に、発光量を加味した複雑な演算をおこなわなければ正確な色温度を決定することができない。
【０００４】
同様に、発光量から色温度を推測する場合にも、発光開始時点での充電電圧を加味する必要がある。
【０００５】
本発明は、以上の点に着目して成されたもので、ストロボの色温度を推測してホワイトバランスを決定するカメラシステムにおいて、色温度の推測を簡略化するカメラシステムおよびストロボを提供することを目的とする。
【課題を解決するための手段】
【０００６】
この発明は下記の構成を備えることにより上記課題を解決できるものである。
【０００７】
（１）放電管に電流を流して発光させる発光手段と、放電管に流れる電流を検出する電流検出手段と、該電流検出手段の検出結果に関連付けて、該発光手段の色温度を決定する色温度決定手段と、を有し、上記色温度決定手段に基づいて、撮像素子を用いて撮影される画像のホワイトバランス調整することを特徴とするカメラシステム。
【０００８】
（２）放電管に電流を流して発光させる発光手段と、放電管に流れる電流を検出する電流検出手段と、該電流検出手段の検出結果に関連付けて、該発光手段の色温度を決定する色温度決定手段と、を有し、上記色温度決定手段に基づいて、得られた情報をカメラに伝達することを特徴とするストロボ。
【発明の効果】
【０００９】
本発明では、放電管に流れる電流を検知して、発光色温度を推測、決定するようにしたため、電流値のみのパラメータで、色温度を決定することができる。
【発明を実施するための最良の形態】
【００１０】
以下本発明を実施するための最良の形態を、実施例により詳しく説明する。
【実施例】
【００１１】
図１は実施例である“デジタルスチルカメラシステム”の概略的構成を示す断面図である。図１において、１はカメラ、２はレンズ、３はストロボ、４はペンタプリズム、５は測光用のシリコンフォトダイオード（以降ＳＰＤと略称する）、６ははね上げ式ミラー、７はシャッタ、８はＣＣＤ（撮像素子）、９は放電管、１０は発光量検出用ＳＰＤ、１１は発光強度検出用ＳＰＤである。
【００１２】
図２は本実施例の回路構成を示すブロック図である。図２において、１２はカメラの動作を制御するマイクロコンピュータ（以降カメラマイコンという）、１３はホワイトバランスデータ格納用ＲＯＭであり、色温度に応じた補正データが格納されている。１４は一時的に画像データを格納するＲＡＭ、１５はＣＦカードのような着脱可能な不揮発性メモリカードであり、画像データを記録する。
【００１３】
１６はサンプルホールド回路、１７はＡ／Ｄ（アナルグ−デジタル）変換器、１８はタイミングジェネレータ、１９は絞り駆動回路である。
【００１４】
２０はダイオード、２１は演算増幅器であり、測光用ＳＰＤ５によって、電流に変換された被写体の明るさを対数圧縮された電圧に変換する。２２はＡ／Ｄ変換器である。
【００１５】
２３は不図示のレリーズ釦の第１ストロークでオンになるスイッチ、２５は不図示のレリーズ釦の第２ストロークでオンになるスイッチ、２７はロックスイッチ、２４，２６，２８はプルアップ抵抗である。
【００１６】
２９はシャッタ７の先幕を走行させるためのマグネット、３１はシャッタ７の後幕を走行させるためのマグネット、３３はミラー６をはね上げるため不図示の機械的な緊定を解除するためのマグネット、３０，３２，３４はトランジスタである。
【００１７】
３５はストロボ３の制御を行うマイクロコンピュータ（以降ストロボマイコンという）、３６は電源であるところの電池、３７は電源３６の電圧を昇圧する既存の昇圧手段、３８はダイオード、３９は昇圧手段３７によって昇圧された電気エネルギを蓄える主コンデンサ、４０はストロボマイコン３５の出力端子ＴＲＩＧの信号により放電管９を励起状態にさせる既存のトリガ手段である。
【００１８】
４１は、放電管９の陰極側に接続され、放電管９に流れる管電流を測定し検出するための管電流検出回路であり、検出結果が、ストロボマイコン３５へ入力される。
【００１９】
４２は、管電流と色温度の関係をしめすデータを格納した、色温度格納用ＲＯＭであり、ストロボマイコン３５は、管電流検出回路４１により検出された電流値に従って、ストロボ３から発光される光の色温度を色温度格納用ＲＯＭ４２から読みだし、カメラ１に伝える。
【００２０】
４３は管電流検出回路４１とグランド間に接続され放電管９の発光を制御する既存の発光制御手段、４４，４５は抵抗であり、４６はコンパレータ、４７は基準電圧源である。抵抗４４，４５は主コンデンサ３９の充電電圧を分圧し、分圧点は、コンパレータ４６で基準電圧源４７の電圧と比較される（基準電圧源４７の出力する電圧を以降Ｖｃと呼ぶ）。
【００２１】
主コンデンサ３９の電圧が充電上限以上になると、コンパレータ４６はハイを出力する。４８は抵抗、４９は主コンデンサ３９の充電完了（以降充完と略記する）を表示するＬＥＤであり、コンパレータ４６がハイになると点灯する。
【００２２】
５０はアナログスイッチ、５１はコンデンサ、５２は演算増幅器で発光量検出用ＳＰＤ１０と合わせて、発光量検出手段を構成する。アナログスイッチ５０は、マイコン３５のＦＲ＿ＳＴＡＲＴ端子と接続され、ＦＲ＿ＳＴＡＲＴがハイでオン状態になり、コンデンサ５１をショートする。ＦＲ＿ＳＴＡＲＴ端子がロウになるとアナログスイッチ５０はオフし、放電管９の発光した光をＳＰＤ１０が受光する。コンデンサ５１に、ＳＰＤ１０の光電流を蓄積することで、放電管９の発光量を積分することになる。演算増幅器５２の出力はコンパレータ５３の非反転入力に接続されている。
【００２３】
５４はストロボマイコン３５の出力端子（ＤＡ＿ＯＵＴ）を入力とするＤ／Ａコンバータであり、８ビットのＤＡ＿ＯＵＴの信号を受けてＶｃ×ＤＡ＿ＯＵＴ／２５６の電圧を出力する。その出力はコンパレータ５３，コンパレータ５７の反転入力に接続される。５６は放電管９の発光の強度を電圧出力に変換する演算増幅器で出力はコンパレータ５７の非反転入力に接続される。
【００２４】
５８，５９はアンドゲート、６０がオアゲート、６１はインバータである。６２から６７はカメラとストロボを接続する接続端子であり、６２はクロック同期式シリアル通信のシリアルクロックを伝達する端子（以降ＣＬＫ端子という）、６３はストロボからカメラへのシリアルデータを伝達する端子（以降ＤＳＣ端子という）、６４はカメラからストロボへのシリアルデータを伝達する端子（以降ＤＣＳ端子という）、６５はストロボへ発光タイミングを伝達する端子（以降ＳＴＳＰ端子という）、６６は充完信号を伝達するＣＣＣ端子、６７はグランドを接続する端子である。
【００２５】
なお、ここで、検出する電流値は、最大値もしくは、平均値のいずれでもかまわない。
【００２６】
以上説明したように、ストロボの放電管に流れる電流を検出して、ストロボの発光する色温度を検出し、この色温度に基づいて、ホワイトバランスを決定することができる。
【００２７】
なお、上記従来例では、外付けストロボからカメラにデータを色温度データを通信しているが、カメラに内蔵されたストロボの場合でも同様に、発光電流から色温度を決定し、ホワイトバランスを決定することができる。
【図面の簡単な説明】
【００２８】
【図１】デジタルスチルカメラシステムの概略的構成を示す断面図
【図２】本実施例の回路構成を示すブロック図
【符号の説明】
【００２９】
１  カメラ
２  レンズ
３  ストロボ
９  放電管
３５  ストロボマイコン
４１  電流検出回路
４２  色温度情報ＲＯＭ
【図１】
2006197087.tif 000003
【図２】
2006197087.tif 000004